(57)【要約】【課題】可動役物の揺動機構を簡便に構成できる遊技機を提供すること。【解決手段】遊技機１は、揺動運動する可動役物５０を遊技盤２に配設させて構成される。可動役物は、揺動する先端部５０ｂに役物側磁性体６３を備え、かつ、先端部側から離れた元部５０ａ側を遊技盤に揺動可能に支持させている。可動役物の先端部側近傍の遊技盤側には、役物側磁性体と反発する盤側磁性体６５を保持して、盤側磁性体を役物側磁性体に接近する接近位置ＣＰと役物側磁性体から離隔する離隔位置とに配置可能に移動させる可動片３６が、配設される。可動役物５０は、役物側磁性体６３と盤側磁性体６５との反発力を、可動役物の揺動時の始動駆動力ＭＦとし、かつ、始動駆動力を利用して揺動する際に、可動役物を原位置Ｐ０側に復帰可能な復元力ＭＲを作用させて、遊技盤２に支持される。復元力ＭＦは、可動役物自体の重力ＧＧを利用する構成としている。【選択図】図６
2011030670.tif 000002
【特許請求の範囲】
【請求項１】
揺動運動する可動役物を遊技盤に配設させて構成される遊技機であって、
前記可動役物が、揺動する先端部に役物側磁性体を備え、かつ、前記先端部側から離れた元部側を前記遊技盤に揺動可能に支持させて、配設され、
前記可動役物の前記先端部側近傍の前記遊技盤側に、前記役物側磁性体と反発若しくは前記役物側磁性体に吸着する盤側磁性体を保持して、前記盤側磁性体を前記役物側磁性体に接近する接近位置と前記役物側磁性体から離隔する離隔位置とに配置可能に移動させる可動片が、配設され、
前記可動役物が、
前記役物側磁性体と前記盤側磁性体との反発力若しくは吸着力を、前記可動役物の揺動時の始動駆動力とし、かつ、該始動駆動力を利用して揺動する際に、前記可動役物を原位置側に復帰可能な復元力を作用させて、前記遊技盤に支持されるとともに、
前記復元力を、前記可動役物自体の重力、若しくは、ばねの付勢力、の少なくとも一方を利用する構成として、
前記遊技盤に揺動可能に支持されていることを特徴とする遊技機。
【請求項２】
前記可動片が、前記盤側磁性体を接近位置と離隔位置とに配置可能に、ソレノイドの往復移動する可動部に連結支持されていることを特徴とする請求項１に記載の遊技機。
【請求項３】
前記役物側磁性体と前記盤側磁性体とが、相互に反発する磁石から構成され、
前記可動役物が、
前記役物側磁性体と前記盤側磁性体との反発力を前記始動駆動力に利用し、かつ、前記可動役物自体の重力を前記復元力に利用するように、
前記始動駆動力の作用方向と自重の作用方向とを対向させて、
前記遊技盤に支持されていることを特徴とする請求項１若しくは請求項２に記載の遊技機。
【請求項４】
前記役物側磁性体と前記盤側磁性体との少なくとも一方が、磁石から形成されて、前記役物側磁性体と前記盤側磁性体とが、相互に吸着可能に構成され、
前記可動役物が、
前記役物側磁性体と前記盤側磁性体との吸着力を前記始動駆動力に利用するとともに、前記始動駆動力により揺動する時点を、前記盤側磁性体の前記役物側磁性体に対する接近位置から離脱する時点として、配設され、
前記ばねの付勢力を前記復元力に利用するように、少なくとも前記吸着力の作用方向と該作用方向の逆方向との両方向に揺動する際に、中立点に停止可能に付勢するばねを介在させて、前記遊技盤に支持されていることを特徴とする請求項１若しくは請求項２に記載の遊技機。
【請求項５】
前記可動役物の周囲に、前記可動役物に対して打撃を与えるような動作を偽装する偽装役物が、配設され、
前記可動片が、前記偽装役物の作動時に連動して、作動されることを特徴とする請求項１乃至請求項４のいずれか１項に記載の遊技機。
【請求項６】
前記可動片と前記偽装役物とが、一つの駆動源により、作動されるように構成されていることを特徴とする請求項５に記載の遊技機。
【請求項７】
前記駆動源が、ソレノイドから構成されて、
前記偽装役物と前記可動片とが、前記ソレノイドの往復移動する可動部に連結支持されていることを特徴とする請求項６に記載の遊技機。
【発明の詳細な説明】
【技術分野】
【０００１】
本発明は、揺動運動する可動役物を遊技盤に配設させて構成されるパチンコ遊技機等の遊技機に関する。
【背景技術】
【０００２】
従来の遊技機では、揺動する可動役物を遊技盤に配設させているものが知られている（例えば、特許文献１参照）。この遊技機では、可動役物が、可逆回転可能なモータの正転と逆転とを利用して、揺動運動していた。この可動役物の揺動機構は、駆動源としてのモータ（ステッピングモータ）と、モータの駆動軸に連結される歯車機構と、揺動時の揺動限界を検知する光電センサと、を備えて構成されていた。歯車機構は、モータの駆動軸に設けられる主動ギヤと、主動ギヤに噛合する従動ギヤと、従動ギヤに噛合して可動役物を連結支持する扇状ギヤと、を備えて構成されていた。光電センサは、扇状ギアから延びる検知片の位置を検知して、モータの駆動を制御する制御装置（演出制御基板）に、可動役物が揺動限界に配置された際に信号を出力していた。
【０００３】
そして、この遊技機では、可動役物を揺動させる際には、モータを正転させて、可動役物を揺動限界まで一方向に揺動させ、その後、光電センサの信号に基づいて、モータに所定回数のパルス電流を流し、モータを逆転させて、可動役物を原位置に復帰させ、そして、上記の作動を繰り返して、可動役物を揺動させていた。
【先行技術文献】
【特許文献】
【０００４】
【特許文献１】特開２００９−１１５９８号公報
【発明の概要】
【発明が解決しようとする課題】
【０００５】
しかし、従来の遊技機では、モータの正転と逆転とを繰り返して、可動役物を揺動させ、さらに、モータの正転から逆転への切り返しに、光電センサ等のセンサを利用しており、モータにステッピングモータを利用することとあいまって、可動役物を揺動させる揺動機構を、簡便に構成し難く、揺動機構を簡便に構成する点に課題があった。
【０００６】
本発明は、上述の課題を解決するものであり、可動役物の揺動機構を簡便に構成できる遊技機を提供することを目的とする。
【課題を解決するための手段】
【０００７】
本発明に係る遊技機では、揺動運動する可動役物を遊技盤に配設させて構成される遊技機であって、
可動役物が、揺動する先端部に役物側磁性体を備え、かつ、先端部側から離れた元部側を遊技盤に揺動可能に支持させて、配設され、
可動役物の先端部側近傍の遊技盤側に、役物側磁性体と反発若しくは役物側磁性体に吸着する盤側磁性体を保持して、盤側磁性体を役物側磁性体に接近する接近位置と役物側磁性体から離隔する離隔位置とに配置可能に移動させる可動片が、配設され、
可動役物が、
役物側磁性体と盤側磁性体との反発力若しくは吸着力を、可動役物の揺動時の始動駆動力とし、かつ、始動駆動力を利用して揺動する際に、可動役物を原位置側に復帰可能な復元力を作用させて、遊技盤に支持されるとともに、
復元力を、可動役物自体の重力、若しくは、ばねの付勢力、の少なくとも一方を利用する構成として、
遊技盤に揺動可能に支持されていることを特徴とする。
【０００８】
本発明に係る遊技機では、可動片が作動されて、盤側磁性体を可動役物の役物側磁性体に接近させれば、役物側磁性体が、盤側磁性体と反発し、若しくは、盤側磁性体に吸着されて、可動役物が、揺動時の始動駆動力を受け、この始動駆動力を利用して揺動端側に移動可能となる。そして、可動役物が揺動端側（第１の揺動端側）に移動しても、可動役物は、可動役物自体の重力、若しくは、ばねの付勢力、の少なくとも一方からなる復元力を利用して、原位置側に復帰可能に、遊技盤に支持されており、そのため、その復元力によって、原位置側に復帰しようとする。そして、可動役物が、慣性力を受けて、逆方向側の揺動端側（第２の揺動端側）に移動しても、復元力を作用させたばねの逆方向に作用する付勢力、可動役物自体の重力、あるいは、盤側磁性体の反発力等を利用して、中立点側（第２揺動端側と第１揺動端側との略中間地点）に戻され、さらに、慣性力により、第１揺動端側に移動することとなって、その結果、第１揺動端側と第２揺動端側とに繰り返して移動するように、揺動運動が繰り返される。
【０００９】
すなわち、本発明に係る遊技機では、盤側磁性体を役物側磁性体に対する接近位置と離隔位置とに配置させるように可動片を移動させる駆動機構の他に、単に、復元力に利用するばね、あるいは、可動役物自体の重力を利用するだけで、簡便に、可動役物を揺動運動させることができる。そして、可動片を移動させる駆動機構は、盤側磁性体を役物側磁性体に対する接近位置と離隔位置との単に二箇所の位置に配置させるように、可動片を往復移動あるいは循環移動させるだけで構成可能であり、可動片を移動させる駆動機構も、簡便に構成することができる。
【００１０】
したがって、本発明に係る遊技機では、可動役物の揺動機構を簡便に構成することができる。
【００１１】
また、本発明に係る遊技機では、役物側磁性体と盤側磁性体との反発力若しくは吸着力を、可動役物の揺動時の始動駆動力としており、盤側磁性体を接近位置に配置させた当初は、始動駆動力が強いものの、その後は復元力が作用するため、減衰させるような揺動として、可動役物を揺動でき、従来のステッピングモータやサーボモータ等の正転と逆転との作動制御では作動させ難い減衰させる動きで、可動役物を揺動運動させることが可能となる。
【００１２】
そして、可動片は、盤側磁性体を接近位置と離隔位置とに配置可能に、ソレノイドの往復移動する可動部（プランジャ）に連結支持させるように構成すれば、可動片を一方向に回転させる等のような循環移動させる駆動機構に比べ、可動部や可動片の移動軌跡を小さくできて、省スペースとして、盤側磁性体を接近位置と離隔位置とに配置させることができる。
【００１３】
また、役物側磁性体と盤側磁性体とを相互に反発する磁石から構成する場合、可動役物は、役物側磁性体と盤側磁性体との反発力を始動駆動力に利用し、かつ、可動役物自体の重力を復元力に利用するように、始動駆動力の作用方向と自重の作用方向とを対向させて、遊技盤に支持されれば、復元力にばねを利用しない分、一層、簡便に、揺動機構を構成することができる。
【００１４】
勿論、役物側磁性体と盤側磁性体とは、少なくとも一方を磁石から形成して、相互に吸着可能に構成してもよく、その場合には、可動役物は、役物側磁性体と盤側磁性体との吸着力を始動駆動力に利用するとともに、始動駆動力により揺動する時点を、盤側磁性体の役物側磁性体に対する接近位置から離脱する時点として、配設し、かつ、ばねの付勢力を復元力に利用するように、少なくとも吸着力の作用方向とこの作用方向の逆方向との両方向に揺動する際に、中立点に停止可能に付勢するばねを介在させて、遊技盤に支持させて配設させてもよい。
【００１５】
このような構成では、盤側磁性体を役物側磁性体への接近位置から離脱させた当初は、可動役物の揺動の振幅が大きいものの、その後は、ばねの付勢力による復元力が作用し、可動役物を、減衰させるような揺動運動として、安定かつ的確に、可動役物を揺動させつつ中立点で停止させることができる。
【００１６】
さらに、本発明に係る遊技機では、可動役物の周囲に、可動役物に対して打撃を与えるような動作を偽装する偽装役物を、配設し、可動片を、偽装役物の作動時に連動して、作動させてもよい。
【００１７】
このような構成では、可動役物が、偽装役物から打撃を受けて揺動するような動作となることから、遊技者の目を楽しませることができる。
【００１８】
この場合、可動片と偽装役物とを、一つの駆動源により、作動させるように構成すれば、可動役物と偽装役物とを備えた遊技機を、簡便に構成することができるとともに、可動役物の揺動時のタイミングと偽装役物の可動役物への打撃時のタイミングとを容易に一致させることができる。
【００１９】
勿論、上記の構成でも、駆動源をソレノイドから構成して、偽装役物と可動片とを、ソレノイドの往復移動する可動部に連結支持させれば、偽装役物等を一方向に回転させる等のような循環移動させる駆動機構に比べ、可動部や可動片の移動軌跡を小さくできて、省スペースとして、偽装役物と可動片とを駆動させることができる。
【図面の簡単な説明】
【００２０】
【図１】実施形態のパチンコ遊技機における遊技盤の概略正面図である。
【図２】実施形態の可動役物装置の拡大正面図であり、盤側磁性体が役物側磁性体から離れた離隔位置に配置されている状態を示す。
【図３】実施形態の盤側磁性体が役物側磁性体に接近した接近位置に配置されている状態を示す可動役物装置の拡大正面図である。
【図４】実施形態の可動役物装置の背面図であって、中間パネルとしては、盤側磁性体付近だけを残して、他の部位を省略し、カバーパネルとしては、その全面を省略した状態とし、かつ、盤側磁性体が役物側磁性体から離れた離隔位置に配置されている状態を示す。
【図５】実施形態の可動役物装置の背面図であって、中間パネルとしては、盤側磁性体付近だけを残して、他の部位を省略し、カバーパネルとしては、その全面を省略した状態とし、かつ、盤側磁性体が役物側磁性体に接近した接近位置に配置されている状態を示す。
【図６】実施形態の可動役物装置の作動時における概略縦断面図であり、（Ａ）が図２のVI−VI部位に対応し、（Ｂ）が図３のVI−VI部位に対応する。
【図７】実施形態の可動役物装置の可動役物が、揺動運動を減衰させていく状態を示す概略縦断面図である。
【図８】実施形態の可動役物装置の変形例の作動時における概略縦断面図である。
【図９】図８に示す可動役物装置の可動役物が、揺動運動を減衰させていく状態を示す概略縦断面図である。
【図１０】実施形態の可動役物装置のさらに他の変形例の作動時を示す概略縦断面図である。
【発明を実施するための形態】
【００２１】
以下、本発明の一実施形態を図面に基づいて説明すると、実施形態の遊技機１は、パチンコ遊技機であり、図１に示すように、遊技盤２における外側レール３と内側レール４とで囲まれた遊技領域５を備え、遊技領域５には、その中央に、飾り枠体１３に囲まれて、液晶等で所定の図柄を表示する図柄表示装置１４が配設されている。
【００２２】
遊技領域５の飾り枠体１３の周囲には、図示しない釘、風車６、普通入賞口７、賞球の無い入賞口８、始動入賞口９、電動チューリップ１０、大入賞口１１、アウト口１２等の公知の部材が配設されて、ハンドル１６を操作し、遊技球を外側レール３と内側レール４との間から遊技領域５に打ち出せば、遊技球は、普通入賞口７、賞球の無い入賞口８、始動入賞口９、電動チューリップ１０、大入賞口１１、アウト口１２のいずれかに入球する。そして、遊技球が、普通入賞口７や開放時の大入賞口１１に入賞すれば、所定数の遊技球を獲得でき、入賞口８に入賞すれば、抽選により電動チューリップ１０を所定時間若しくは所定回数開放させることとなる。また、遊技球が、始動入賞口９や開放時の電動チューリップ１０に入賞すれば、抽選により、大当たり、中当たり、小当たり等の当たりや外れが決定され、当たりとなれば、大入賞口１１を、その当たりに応じて開放時間、開放回数、入賞個数等を制限して、開放することとなる。これらの作動や遊技フローは、公知のものであり、遊技盤２の背面側に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプやスピーカ等を作動させつつ、所定の演出を図柄表示装置１４に表示し、また、適宜、可動役物装置２０を作動させることととなる。
【００２３】
実施形態の可動役物装置２０は、図１に示すように、遊技盤２における遊技領域５を越えた右下隅部位における正面側パネル２１の正面側（前面側）に、可動役物５０と偽装役物６１とを配設させて、構成されている。正面側パネル２１は、遊技盤２に連なるように取り付けられて、正面側パネル２１の後方には、図６に示すように、可動役物装置２０の後述する駆動機構２７の後方側を覆うカバーパネル２５と、正面側パネル２１とカバーパネル２５との間に配置される中間パネル２３と、が配設され、これらのカバーパネル２５と中間パネル２３とは、所定位置をねじ等により、正面側パネル２１の後面側に対して、固定されている。
【００２４】
そして、この可動役物装置２０は、遊技の趣向性を向上させるために、既述のサブ制御基板の制御によって作動されるものであり、例えば、大当たり発生期待度やリーチ発展期待度を増加させる際に、作動される。リーチ発展期待度は、リーチへ発展する割合が高くなる期待度であり、大当たり発生期待度は、大当たりが発生する割合が高くなる期待度であって、共に、可動役物装置２０が、図柄表示装置１４の演出とともに、作動されれば、遊技者に大当たりやリーチ等の期待を強く与えることとなって、遊技の趣向性を向上させることができる。
【００２５】
また、実施形態の可動役物装置２０は、図２〜６に示すように、可動役物５０と偽装役物６１との他に、可動役物５０を揺動させるための揺動機構ＲＭを備えて構成されている。揺動機構ＲＭは、役物側磁性体６３、盤側磁性体６５、及び、盤側磁性体６５を移動させる駆動機構２７、を備えて構成されている。実施形態の場合、可動役物５０は、円盤状のゴングの形状として、偽装役物６１は、ゴングを鳴らすハンマーの形状として、駆動機構２７は、偽装役物６１を移動させる駆動機構を兼用している。そして、可動役物装置２０は、作動時、駆動機構２７を駆動させて、揺動機構ＲＭを作動させつつ、ハンマー形状の偽装役物６１を移動させることとなり、その際の動作は、ハンマー形状の偽装役物６１が、ゴング形状の可動役物５０に打撃を与えるように、接近し、ゴング形状の可動役物５０が、ゴングを鳴らすように前後に揺動する動作となる。
【００２６】
可動役物装置２０の構造を詳しく述べれば、可動役物５０は、図２，４，６に示すように、遊技盤２側となる正面側パネル２１の正面側（前面側）に沿うように、略上下方向に沿って配設される円板状のリン部５１と、リン部５１の裏面（背面）の中央から、正面側パネル２１のボス２２を挿通して後方に延びる軸部５２と、を備えて構成されている。可動役物５０は、軸部５２の後端（先端）５２ａ付近に左右方向に沿って配置される軸Ｃ０を揺動中心として、リン部５１が、外周縁の上端５１ａと下端５１ｂとを、前後に揺動させるように、配設されている。そして、可動役物５０は、揺動できるように、元部５０ａとしての軸部５２の先端５２ａから離れた下方側の先端部５０ｂに、役物側磁性体６３を配設させ、役物側磁性体６３の周囲の遊技盤２側の中間パネル２３付近に、盤側磁性体６５を配設させている。
【００２７】
軸部５２の先端５２ａの支持構造は、正面側パネル２１の後方に延びるボス２２とボス２２の周囲に固定される取付スリーブ５７とから構成される軸受部６０（図６参照）に対して、先端５２ａ付近の外周から揺動中心軸Ｃ０に沿って左右に延びる円柱状のピン５５（図２，３参照）が、軸支される構造としている。
【００２８】
役物側磁性体６３と盤側磁性体６５とは、実施形態の場合、円板状の磁石（永久磁石）が使用されるとともに、先端部５０ｂにおけるリン部５１の裏面側の下端５１ｂに配置された役物側磁性体６３の後方側に、対向するように、盤側磁性体６５が配設された際、すなわち、盤側磁性体６５が役物側磁性体６３に最も接近する接近位置ＣＰに配置された際、相互に反発する磁極となるように、構成されている。なお、役物側磁性体６３や盤側磁性体６５の周囲の可動役物５０、正面側パネル２１、中間パネル２３、カバーパネル２５等の部材は、適宜、磁力の影響を受けない合成樹脂等から形成されている。
【００２９】
役物側磁性体６３は、図２，６に示すように、軸部５２に外装されるホルダ５３のスリーブ部５３ａから下方に延びる保持アーム５３ｂと、リン部５１の下端５１ｂの後面側の凹部５１ｃと、の間で、挟持されて、可動役物５０に配設されている。なお、ホルダ５３は、軸部５２に外装される円筒状のスリーブ部５３ａと、スリーブ部５３ａの前端から下方に延びる保持アーム５３ｂと、を備えて構成されている。そして、ホルダ５３は、スリーブ部５３ａを軸部５２に外装させた状態で、軸部５２の先端５２ａに対し、図示しないねじによって、略円盤状のキャップ５４が固着されることにより、リン部５１とキャップ５４とに挟持されて、軸部５２に固定されている。また、キャップ５４の左右両側には、図２，６に示すように、左右両側に延びて、可動役物５０の揺動時の揺動中心軸Ｃ０を構成する円柱状のピン５５，５５が、配設されている。そして、これらのピン５５，５５は、ボス２２と取付スリーブ５７との当接する端面相互に設けられた凹溝２２ａ，５７ｂ相互によって形成される軸支孔６０ａに、回動自在に支持され、その結果、可動役物５０は、遊技盤２側の正面側パネル２１のボス２２に設けられた軸受部６０を利用して、前後に揺動可能に支持されることとなる（図６，７参照）。
【００３０】
盤側磁性体６５は、図３〜６に示すように、可動片３６における下方の先端部３８の前面側に固着されている。可動片３６は、取付スリーブ５７の後端の円筒状の支持ピン部５７ｆに支持されて、支持ピン部５７ｆの前後方向に延びる回動中心軸Ｃ１を回転中心として、下端側の先端部３８を左右方向に回動可能に、配設されている（図４，５参照）。そして、可動片３６は、先端部３８の盤側磁性体６５を、役物側磁性体６３に接近する接近位置ＣＰと役物側磁性体６３から離隔する離隔位置ＳＰとに配置させることとなる。
【００３１】
この可動片３６は、支持ピン部５７ｆを嵌挿させる略円環状の元部３７を備え、元部３７から下方に延びる先端部３８に、盤側磁性体６５を固着させている。元部３７は、中央に、支持ピン部５７ｆを嵌挿させる軸支孔３７ａを備え、外周面側に、後述するラック３４ｂに噛合するピニオンのようなギヤ部３７ｂと、役物側磁性体６３から離れる盤側磁性体６５の離隔位置ＳＰを規制するように、後述するストッパ５７ｅに当接する規制部３７ｃと、を設けて構成されている。
【００３２】
なお、盤側磁性体６５は、図２，４，６に示すように、中間パネル２３に設けられた貫通孔２３ａを経て、中間パネル２３の後方側から正面側パネル２１の後面に接近するように、配設されている。貫通孔２３ａは、盤側磁性体６５が、可動片３６の回動に伴って、接近位置ＣＰと離隔位置ＳＰとの二箇所の間を往復移動する軌跡に対応し、回動中心軸Ｃ１を中心とした扇状に形成されている。
【００３３】
駆動機構２７は、図４，５に示すように、図示しないサブ制御基板によって作動を制御される駆動源２８と、駆動源２８の駆動力を、機械的に伝達させて、可動役物５０を揺動させるように、盤側磁性体６５を役物側磁性体６３に接近させる運動伝達機構３３と、を備えて構成されている。そして、運動伝達機構３３は、実施形態の場合、偽装役物６１を移動させる駆動機構も兼用しており、そのため、盤側磁性体６５を移動させる駆動機構としての磁性体移動機構部３３ａと、偽装役物６１を移動させる駆動機構としての偽装役物移動機構部３３ｂと、を備えて構成されている。
【００３４】
駆動源２８は、作動時、ハウジング３０内に配設された図示しない電磁コイルに通電することにより、可動部としてのプランジャ（可動鉄心）３１を、ハウジング３０内に引き込むように移動させるソレノイド２９から構成され、そして、プランジャ３１の引き込み力を駆動力として、運動伝達機構３３を駆動させて、盤側磁性体６５と偽装役物６１とを移動させることとなる。ソレノイド２９は、プランジャ３１のハウジング３０から延びる方向を、左下斜め方向（図２，３参照）として、正面側パネル２１の後面側（背面側）におけるボス２２の上方（図４，５参照）に、固定されている。そして、このソレノイド２９は、プランジャ３１の頭部３１ａとハウジング３０との間に、ばね（圧縮コイルばね）３２を配設させており、図示しない電磁コイルへの通電状態から通電を停止されれば、ばね３２の付勢力により、プランジャ３１を、ハウジング３０に引き込まれた作動位置Ｆ１から、作動前の位置（原位置）Ｆ０に復帰するように、ハウジング３０から繰り出すこととなる。
【００３５】
運動伝達機構３３は、既述したように、盤側磁性体６５を移動させる磁性体移動機構部３３ａと、偽装役物６１を移動させる偽装役物移動機構部３３ｂと、を備えて構成され、実施形態の場合、これらの磁性体移動機構部３３ａと偽装役物移動機構部３３ｂとは、プランジャ３１の頭部３１ａに結合させたラックプレート３４を共用している。ラックプレート３４は、図４，５に示すように、プランジャ３１の頭部３１ａに一体的に連結される連結部３４ａを上端に備えて、正面側パネル２１のボス２２の側方まで延びる略長方形板状として、構成されている。そして、ボス２２側の側面には、可動片３６のギヤ部３７ｂに噛合するラック３４ｂが形成されている。また、ラックプレート３４は、前後に貫通して、略上下方向に延びる摺動孔３４ｃと、連結部３４ａ近傍の後面側から後方に突出する係止ピン３４ｄと、を備えて構成されている。摺動孔３４ｃには、中間パネル２３を貫通して、正面側パネル２１の後面から後方に延びるガイドピン２１ａが嵌挿され、ソレノイド２９の作動時における原位置Ｆ０と作動位置Ｆ１とに移動するプランジャ３１の往復移動時、ラックプレート３４が、摺動孔３４ｃの内周面にガイドピン２１ａを摺動させて、プランジャ３１とともに円滑に移動するように構成されている。
【００３６】
そして、磁性体移動機構部３３ａは、図４，５に示すように、ラックプレート３４と、取付スリーブ５７と、盤側磁性体６５を先端部３８に固着させた可動片３６と、から構成されている。
【００３７】
取付スリーブ５７は、図４〜６に示すように、略円筒状として、正面側パネル２１のボス２２の後端面に、前端面５７ａを当接させて、斜めの上下に配置された取付座５７ｃを正面側パネル２１の後面側に、ねじ５８止めさせて、固定されている。取付スリーブ５７は、後部側に縮径された段差部５７ｄと円筒状の支持ピン部５７ｆとを備え、段差部５７ｄには、可動片３６の規制部３７ｃを規制する既述したストッパ５７ｅが突設されている。支持ピン部５７ｆは、既述したように、可動片３６の円環状の元部３７の軸支孔３７ａに嵌挿させて、回動中心軸Ｃ１を回動中心として、可動片３６を回動可能に支持している。なお、支持ピン部５７ｆの中央の嵌合孔５７ｇには、カバーパネル２５の前面側から前方に延びる円柱状の凸部２５ｂが、嵌合されて（図６参照）、可動片３６の元部３７が、カバーパネル２５によって、支持ピン部５７ｆから後方側に外れることを防止されている。
【００３８】
そして、可動片３６は、元部３７の外周面にラックプレート３４のラック３４ｂに噛合するギヤ部３７ｂを備えている。
【００３９】
そのため、運動伝達機構３３の磁性体移動機構部３３ａでは、図４，５に示すように、駆動機構２７の駆動源２８としてのソレノイド２９に通電されて、プランジャ３１がハウジング３０に引き込まれて作動位置Ｆ１に配置されれば、磁性体移動機構部３３ａのラックプレート３４が上昇移動し、ラック３４ｂにギヤ部３７ｂを噛合させて支持ピン部５７ｆに軸支させた可動片３６が、回動中心軸Ｃ１を中心として、正面視（図２，３参照）で時計方向に、背面視（図４，５参照）で反時計方向に、回転する。そのため、可動片３６の先端部３８に保持された盤側磁性体６５が、離隔位置ＳＰから接近位置ＣＰに移動して、図６のＢに示すように、可動役物５０に設けられた役物側磁性体６３の後方側に、役物側磁性体６３と前後方向で対向するように、配置されることとなる。なお、ソレノイド２９への通電時、引き込まれたプランジャ３１がハウジング３０内でその位置（作動位置Ｆ１）を停止されることから、可動片３６は、盤側磁性体６５を接近位置ＣＰに停止させれば、その位置（作動位置）Ｒ１で回転を停止させることとなる。
【００４０】
そして、ソレノイド２９への通電を止めれば、図５から図４に示すように、プランジャ３１がばね３２の付勢力によってハウジング３０から突出して原位置Ｆ０に復帰し、ラック３４ｂごとラックプレート３４を下方移動させることから、ラック３４ｂにギヤ部３７ｂを噛合させている可動片３６は、ストッパ５７ｅに規制部３７ｃを当接させるまで、正面視で反時計方向に、背面視で時計方向に回転して、ストッパ５７ｅに規制部３７ｃを当接させた位置（原位置）Ｒ０で、停止し、盤側磁性体６５を離隔位置ＳＰに復帰させることとなる（図２，４参照）。
【００４１】
偽装役物移動機構部３３ｂは、図４，５に示すように、磁性体移動機構部３３ａと共用のラックプレート３４と、第１レバー４０と、第２レバー４５と、から構成されている。
【００４２】
第１レバー４０は、背面側から見て開いたＶ字形状として、ソレノイド２９と取付スリーブ５７との間に「Ｖ」の字の屈曲した下端部位を軸支部４１として、前後方向に沿った回動中心軸Ｃ２を回動中心として、正面側パネル２１の後面側に対し、回動可能に軸支されている。第１レバー４０は、左右方向に沿って、軸支部４１からラックプレート３４側に延びるラック側アーム４２と、軸支部４１からラックプレート３４から離れるように軸支部４１から延びる偽装側アーム４３と、を備えて構成されている。ラック側アーム４２の先端には、ラックプレート３４の係止ピン３４ｄを挿入させるための略左右方向に沿った摺動孔４２ａが、前後方向に貫通して配設されている。偽装側アーム４３の先端には、第２レバー４５の係止ピン４６ｂを挿入させるための略左右方向に沿った摺動孔４３ａが、前後方向に貫通して形成されている。
【００４３】
第２レバー４５は、上下方向に延びる略Ｌ字形状として、第１レバー４０の偽装側アーム４３の先端から上方に延びるレバー側アーム４６と、レバー側アーム４６の上端から屈曲して偽装役物６１の後方側に配置される偽装側アーム４７と、を備えて構成されている。レバー側アーム４６の下端（先端）には、前後両側に延びる係止ピン４６ａ，４６ｂが形成されている（図２，４参照）。前方側に延びる係止ピン４６ａは、第１レバー４０の摺動孔４３ａに挿入され、後方側に延びる係止ピン４６ｂは、カバーパネル２５に設けられた摺動孔２５ａに挿入されている。摺動孔２５ａは、上下方向に延びるように開口され、第１レバー４０の回動時、第２レバー４５のレバー側アーム４６を、上下方向に沿って往復移動できるように、内周面に係止ピン４６ｂを摺動させて案内できるように、構成されている。なお、レバー側アーム４６は、第１レバー４０の回動時、前面側の係止ピン４６ａを第１レバー４０の偽装側アーム４３における摺動孔４３ａに摺動させつつ、後面側の係止ピン４６ｂをカバーパネル２５の摺動孔２５ａに摺動させて、上下往復移動することとなる。
【００４４】
第２レバー４５の偽装側アーム４７は、図２，４に示すように、ねじ等を利用して、ハンマー形状の偽装役物６１の柄部６１ａの下端付近と槌部６１ｂの上下方向の中間付近とに対し、軸方向を前後方向に沿わせた円柱状の取付ボス４７ａ，４７ｂを、連結させている。偽装側アーム４７に設けられた各取付ボス４７ａ，４７ｂは、正面側パネル２１に前後方向に貫通したガイド孔２１ｂ，２１ｃを挿通している。各ガイド孔２１ｂ，２１ｃは、ハンマー形状の偽装役物６１の槌部６１ｂの下端６１ｃが、ゴング形状の可動役物５０の上端５０ｃ、すなわち、リン部５１の上端５１ａに、軸部５２に向かうように接近したり（図３参照）、その逆方向に離隔する往復移動（略上下方向の往復移動）を、案内できるように、軸部５２から、正面視（図２参照）で斜め上右方向、背面視（図４参照）で斜め上左方向に延びるように、形成されている。
【００４５】
運動伝達機構３３の偽装役物移動機構部３３ｂでは、図４，５に示すように、駆動機構２７の駆動源２８としてのソレノイド２９に通電されて、プランジャ３１がハウジング３０に引き込まれて作動位置Ｆ１に配置されれば、磁性体移動機構部３３ａと共用のラックプレート３４が上昇移動し、背面視の状態で、ラックプレート３４の係止ピン３４ｄを摺動孔４２ａに挿入させている第１レバー４０が、ラック側アーム４２を係止ピン３４ｄに押されて、軸支部４１の回動中心軸Ｃ２を回動中心として、反時計方向に回転する。そして、第１レバー４０が反時計方向に回転して、偽装側アーム４３を下方に移動させれば、第２レバー４５が、レバー側アーム４６の係止ピン４６ａをカバーパネル２５の摺動孔２５ａに摺動させ、かつ、偽装側アーム４７の取付ボス４７ａ，４７ｂを正面側パネル２１のガイド孔２１ｂ，２１ｃに摺動させて、偽装役物６１の槌部６１ｂの下端６１ｃを、可動役物５０のリン部５１に衝撃を与えるように、リン部５１の上端５１ａに接近させる作動位置Ｈ１に、偽装役物６１を配置させることとなる（図２，３参照）。
【００４６】
その後、ソレノイド２９への通電を停止させれば、図５から図４に示すように、ばね３２の付勢力によって、プランジャ３１がハウジング３０から突出するように復帰され、可動片３６の規制部３７ｃをストッパ５７ｅに当接させることにより、プランジャ３１が原位置Ｆ０で停止される。その際、プランジャ３１の突出によってラックプレート３４が下降し、第１レバー４０が、係止ピン３４ｄによってラック側アーム４２を押し下げられて、背面視の状態で、軸支部４１の回動中心軸Ｃ２を回動中心として、時計方向に回転し、偽装側アーム４３の先端を上昇させ、摺動孔４３ａの内周面によって、第２レバー４５におけるレバー側アーム４６の係止ピン４６ａを押し上げる。その結果、第２レバー４５は、レバー側アーム４６の係止ピン４６ａをカバーパネル２５の摺動孔２５ａに摺動させ、かつ、偽装側アーム４７の取付ボス４７ａ，４７ｂを正面側パネル２１のガイド孔２１ｂ，２１ｃに摺動させて、偽装役物６１の槌部６１ｂの下端６１ｃを、可動役物５０のリン部５１の上端５１ａから離すように、偽装役物６１を上昇させて、偽装役物６１を原位置Ｈ０に復帰させることとなる（図２参照）。
【００４７】
そして、実施形態の可動役物装置２０では、図２，４から図３，５に示すように、作動時、ソレノイド２９に通電させて、プランジャ３１を原位置Ｆ０から作動位置Ｆ１に移動させれば、既述したように、ラックプレート３４が上昇移動し、第１レバー４０を回転移動させつつ第２レバー４５を下降移動させて、第２レバー４５に連結されている偽装役物６１が、原位置Ｈ０から可動役物５０に打撃を与えるように接近した作動位置Ｈ１に配置される。また、ラックプレート３４が上昇移動すれば、ラック３４ｂにギヤ部３７ｂを噛合させた可動片３６が、原位置Ｒ０から作動位置Ｒ１に回転されて、可動片３６の先端部３８に配置されている盤側磁性体６５が、離隔位置ＳＰから接近位置ＣＰに配置させれ、可動役物５０の先端部５０ｂに設けられた役物側磁性体６３の後方側で、役物側磁性体６３と対向する。
【００４８】
すると、役物側磁性体６３は、図６のＡ，Ｂに示すように、盤側磁性体６５と反発して、可動役物５０が、揺動時の始動駆動力ＭＦを受け、この始動駆動力ＭＦを利用して、リン部５１の下端５１ｂを前方移動させ上端５１ａを後方移動させるように、揺動中心軸Ｃ０を揺動中心として上向きに揺動し、揺動端ＲＦ側に移動する。しかし、可動役物５０が揺動端（第１の揺動端）ＲＦ側に移動しても、復元力ＭＲとして利用する可動役物５０に作用する重力（実施形態の場合、リン部５１、軸部５２、ホルダ５３、及び、役物側磁性体６３を含めた全体の重量が揺動中心軸Ｃ０からその前方側に位置する重心ＧＣまでの長さ分の下向きのモーメント）ＧＧにより、図６のＢ，図７のＡに示すように、可動役物５０が原位置Ｐ０側に復帰しようとする。そして、可動役物５０が、慣性力を受けて、リン部５１の下端５１ｂを後方移動させ上端５１ａを前方移動させるように、下向きに揺動し、逆方向側の揺動端（第２の揺動端）側ＲＥに移動しても、盤側磁性体６５の反発力を利用して、中立点（第２揺動端ＲＥ側と第１揺動端ＲＦ側との略中間地点）ＮＰ（図７のＢ参照）に戻され、さらに、慣性力により、第１揺動端ＲＦ側に移動することとなって、第１揺動端ＲＦ側と第２揺動端ＲＥ側とに繰り返して移動するように、揺動運動が繰り返されることとなる。そして、実施形態の場合、役物側磁性体６３に対する盤側磁性体６５の反発力と可動役物５０の重力ＧＧとが釣り合う位置（実施形態の場合、中立点）ＮＰまでに、可動役物５０は、揺動を減衰させて、図７のＢの実線に示すように、静止する。ついで、ソレノイド２９への通電後の一定時間の経過後、図示しないサブ制御基板の制御により、ソレノイド２９への通電が停止されれば、既述したように、プランジャ３１、可動片３６、可動役物５０、及び、偽装役物６１が、それぞれ、原位置Ｆ０，Ｒ０，Ｐ０，Ｈ０に復帰することとなる。なお、実施形態の場合、ソレノイド２９への通電から通電停止までの時間は、可動役物５０が揺動を開始して静止するまでの時間より若干長い時間として、予め、設定されている。
【００４９】
そして、実施形態の遊技機１では、盤側磁性体６５を役物側磁性体６３に対する接近位置ＣＰと離隔位置ＳＰとに配置させるように可動片３６を移動させる駆動機構２７の他に、単に、復元力ＭＲに可動役物５０自体の重力ＧＧを利用するだけで、簡便に、可動役物５０を揺動運動させることができる。そして、可動片３６を移動させる駆動機構２７は、盤側磁性体６５を役物側磁性体６３に対する接近位置ＣＰと離隔位置ＳＰとの単に二箇所の位置に配置させるように、可動片３６を往復回動移動させるだけで構成可能であり、可動片３６を移動させる駆動機構２７（駆動源２８と運動伝達機構３３の磁性体移動機構部３３ａ）とともに、簡便に構成することができる。
【００５０】
したがって、実施形態の遊技機１では、可動役物５０の揺動機構ＲＭを簡便に構成することができる。
【００５１】
また、実施形態の遊技機１では、役物側磁性体６３と盤側磁性体６５との反発力を、可動役物５０の揺動時の始動駆動力ＭＦとしており、盤側磁性体６５を接近位置ＣＰに配置させた当初は、始動駆動力ＭＦが強いものの、その後は復元力ＭＲとしての重力ＧＧが作用するため、減衰させるような揺動として、可動役物５０を揺動でき、従来のステッピングモータやサーボモータ等の正転と逆転との作動制御では作動させ難い減衰させる動きで、可動役物５０を揺動運動させることが可能となる。
【００５２】
そして、実施形態の場合、可動片３６が、盤側磁性体６５を接近位置ＣＰと離隔位置ＳＰとに配置可能に、ソレノイド２９の往復移動する可動部としてのプランジャ３１に、ラックプレート３４を介在させて、連結支持させるように構成されており、可動片３６を一方向に回転させる等のような循環移動させる駆動機構に比べ、プランジャ３１や可動片３６の移動軌跡を小さくできて、省スペースとして、盤側磁性体６５を接近位置ＣＰと離隔位置ＳＰとに配置させることができる。
【００５３】
さらに、実施形態の遊技機１の可動役物装置２０では、ゴング形状の可動役物５０の周囲に、可動役物５０に対して打撃を与えるような動作を偽装するハンマー形状の偽装役物６１を、配設し、運動伝達機構３３を利用して、可動片３６を、偽装役物６１の作動時に連動して、作動させている。そのため、実施形態の可動役物装置２０では、可動役物５０が、偽装役物６１から打撃を受けて揺動するような動作となることから、遊技者の目を楽しませることができる。
【００５４】
さらにまた、実施形態の場合、可動片３６と偽装役物６１とを、運動伝達機構３３によって、一つの駆動源２８により、作動させるように構成しており、可動役物５０と偽装役物６１とを備えた遊技機１を、簡便に構成することができるとともに、可動役物５０の揺動時のタイミングと偽装役物６１の可動役物５０への打撃時のタイミングとを容易に一致させることができる。
【００５５】
勿論、実施形態では、駆動源２８をソレノイド２９から構成して、偽装役物６１と可動片３６とを、運動伝達機構３３を介在させて、ソレノイド２９の往復移動するプランジャ３１に連結支持させており、偽装役物等を一方向に回転させる等のような循環移動させる駆動機構に比べ、プランジャ３１や可動片３６の移動軌跡を小さくできて、省スペースとして、偽装役物６１と可動片３６とを駆動させることができる。
【００５６】
なお、実施形態の場合には、偽装役物６１を、ゴング形状の可動役物５０に対応するハンマー形状とした場合を示したが、偽装役物や可動役物の形状は、実施形態に限定されるものでなく、例えば、可動役物を車、船、動物等の形状として、その車、船、動物等に当たるように接近する車、船、波、風、爆弾等の形状に、偽装役物を構成してもよい。
【００５７】
また、実施形態の遊技機１では、役物側磁性体６３と盤側磁性体６５とを相互に反発する磁石から構成しており、可動役物５０が、役物側磁性体６３と盤側磁性体６５との反発力を始動駆動力ＭＦに利用し、かつ、可動役物５０自体の重力ＧＧを復元力ＭＲに利用するように、始動駆動力ＭＦの作用方向と重力ＧＧの作用方向とを対向させて、遊技盤２に支持されており、復元力ＭＲにばねを利用しない分、一層、簡便に、揺動機構ＲＭを構成することができる。
【００５８】
なお、この点を考慮しなければ、図８，９に示す遊技機１Ａのように、可動役物５０を中立点ＮＰに復元させる復元力ＭＲに、ばね６７の付勢力を利用してもよい。この遊技機１Ａでは、可動役物５０のリン部５１の後面側における軸部５２の周囲と、ボス２２の周囲の正面側パネル２１との間に、コイルばね６７を配設させている点と、作動時に、図示しないソレノイド２９への通電時間が短く、盤側磁性体６５を接近位置ＣＰに配置させて、可動役物５０が揺動し始めたら、直ちに、盤側磁性体６５を離隔位置ＳＰに戻している点と、が、実施形態の遊技機１と相違しているだけである。
【００５９】
そして、この遊技機１Ａの可動役物装置２０Ａでは、作動時、図示しないソレノイドの作動により、可動片３６が回動して、盤側磁性体６５が、図示しない離隔位置ＳＰから接近位置ＣＰに配置され、直ちに、図示しない離隔位置ＳＰに復帰する。そして、盤側磁性体６５が接近位置ＣＰに配置されれば、図８のＡ，Ｂに示すように、役物側磁性体６３が、盤側磁性体６５と反発し、可動役物５０が、揺動時の始動駆動力ＭＦを受け、揺動中心軸Ｃ０を揺動中心として、始動駆動力ＭＦを利用して揺動端ＲＦ側に移動する。そして、可動役物５０がこの第１の揺動端ＲＦ側に移動する際、ばね６７は、揺動端ＲＦ側の縁、すなわち、上縁６７ａ側を圧縮させることから、そのばね６７の復元しようとする付勢力（ＭＲ、図８のＢ参照）と可動役物５０自体の重力ＧＧとにより、原位置Ｐ０側に復帰しようとする。そして、可動役物５０が、慣性力を受けて、逆方向側の揺動端ＲＥ側（第２の揺動端ＲＥ側）に移動しても、ばね６７が、揺動端ＲＥ側の縁、すなわち、下縁６７ｂ側を圧縮させることから、ばね６７の復元しようとする付勢力（ＭＲ、図９のＡ参照）を利用して、中立点ＮＰ側（第２揺動端ＲＥ側と第１揺動端ＲＦ側との略中間地点）に戻され、さらに、慣性力により、第１揺動端ＲＦ側に移動することとなって、第１揺動端ＲＦ側と第２揺動端ＲＥ側とに繰り返して移動するように、揺動運動が繰り返される。そしてその際、既に、盤側磁性体６５は、役物側磁性体６３を反発させる位置（接近位置）ＣＰから離隔位置ＳＰに配置されており（図９のＢ参照）、可動役物５０は、ばね６７の付勢力と重力ＧＧとが釣り合う原位置Ｐ０（図例の場合には、中立点ＮＰの位置でもある）で静止するように、揺動の振幅を減衰させつつ、揺動運動する。
【００６０】
したがって、可動役物装置２０Ａのように、可動役物５０の揺動時の復元力ＭＲに、ばね６７の付勢力を利用してもよい。
【００６１】
なお、可動役物５０の揺動時の復元力ＭＲにばねを利用する場合には、図８，９に示すように、軸部５２の周囲に配置させる他、リン部５１の上端５１ａと正面側パネル２１との間を、圧縮コイルばねや引張コイルばねによって、連結させて、それらのばねを復元力に利用してもよい。
【００６２】
また、役物側磁性体と盤側磁性体とは、少なくとも一方を磁石から形成して、相互に吸着可能に構成してもよい。例えば、図１０の遊技機１Ｂの可動役物装置２０Ｂでは、可動役物５０Ｂが、役物側磁性体６３Ｂと盤側磁性体６５Ｂとの吸着力を始動駆動力ＭＦに利用するとともに、始動駆動力ＭＦにより揺動する時点を、盤側磁性体６５Ｂの役物側磁性体６３Ｂに対する接近位置ＣＰから離脱する時点として、配設されている。また、可動役物５０Ｂは、ばね６７Ｂの付勢力を復元力ＭＲに利用するように、少なくとも吸着力の作用方向ＡＤとこの作用方向の逆方向ＲＤとの両方向に揺動する際に、中立点ＮＰに停止可能に付勢するばね６７Ｂを介在させて、遊技盤２側の正面側パネル２１Ｂに支持されている。
【００６３】
なお、図例の場合には、盤側磁性体６５Ｂが、磁石から形成され、役物側磁性体６３Ｂが鉄から形成されているが、役物側磁性体６３Ｂと盤側磁性体６５Ｂとは、共に吸着し合う磁石を使用してもよい。
【００６４】
また、この可動役物装置２０Ｂは、遊技球と接触しない状態として、図１に示す図柄表示装置１４の前側における飾り枠体１３の下縁側、すなわち、ステージ１３ａ上の後部側に、ゴング形状の可動役物５０Ｂとハンマー形状の偽装役物６１Ｂとを配設させて構成されている。そして、盤側磁性体６５を保持する可動片３６Ｂと偽装役物６１Ｂとが、駆動機構２７Ｂの駆動源２８としてのソレノイド２９Ｂのプランジャ（可動部）３１Ｂに、連結支持されている。なお、このソレノイド２９Ｂは、プッシュプル式としており、プランジャ３１Ｂをハウジング３０Ｂから繰り出し、その後、プランジャ３１Ｂをハウジング３０Ｂに引き込ませるように、作動される。プランジャ３１Ｂの繰出時、偽装役物６１Ｂが可動役物５０Ｂに打撃を与えるように接近し、また、盤側磁性体６５Ｂが、役物側磁性体６３Ｂから離れた離隔位置ＳＰから役物側磁性体６３Ｂに接近する接近位置ＣＰに配置されることとなる。勿論、ソレノイド２９Ｂとしては、プッシュプル式の他、戻しばねを利用したプッシュ式やプル式でもよい。
【００６５】
さらに、可動役物５０Ｂは、リン部５１が、前後方向の幅寸法を狭めて左右方向に延びる楕円板形状に形成されて、前後方向に沿って配置される揺動中心軸Ｃ０を揺動中心として、左右方向に揺動するように配設されているものの、実施形態と同様に、軸部５２の先端５２ａ付近のピン５５を、遊技盤２側に連なる正面側パネル２１Ｂの軸受部６０に、揺動可能に軸支させて配設されている。なお、この可動役物装置２０Ｂでは、図例の正面側パネル２１Ｂは、前後方向の幅寸法を狭めて、ステージ１３ａと平行として、ステージ１３ａと一体的に配設され、中間パネル２３やカバーパネル２５も、前後方向の幅寸法を狭めて、その正面側パネル２１Ｂの下方に配設されている。
【００６６】
また、ばね６７Ｂは、図８，９に示したばね６７と同様に、可動役物５０Ｂのリン部５１の下面側における軸部５２の周囲と、ボス２２の周囲の正面側パネル２１Ｂとの間に、配設されている。
【００６７】
この可動役物装置２０Ｂでは、作動時、ソレノイド２９Ｂが、プランジャ３１Ｂをハウジング３０Ｂから繰り出し、その後、プランジャ３１Ｂをハウジング３０Ｂに引き込ませるように、作動される。その際、プランジャ３１Ｂと可動片３６Ｂとは、図１０のＡ，Ｂ，Ｃに示すように、原位置Ｆ０→作動位置Ｆ１→原位置Ｆ０、に往復移動し、偽装役物６１Ｂも、原位置Ｈ０→打撃を与えるように可動役物５０Ｂに接近する作動位置Ｈ１→原位置Ｈ０、に往復移動する。同様に、盤側磁性体６５Ｂも、離隔位置ＳＰ→接近位置ＣＰ→離隔位置ＳＰ、に往復移動する。
【００６８】
そして、盤側磁性体６５Ｂが役物側磁性体６３Ｂに接近している際には、盤側磁性体６５Ｂが役物側磁性体６３Ｂを吸着して、可動役物５０Ｂが、第１の揺動端ＲＦ側に揺動させるように、先端部５０ｂ（左縁部）側を下方に下げ、右縁５０ｄ側を上方に上げるように、リン部５１を傾斜させることから、ばね６７Ｂが左縁６７ｃ側を圧縮させる状態となる（図１０のＢ参照）。
【００６９】
そしてその後、盤側磁性体６５Ｂが接近位置ＣＰから離隔位置ＳＰ側に離脱する当初は、ばね６７Ｂが、左縁６７ｃ側を圧縮させていた状態から復元するように、復元力ＭＲ（図１０のＢの実線参照）としての付勢力を可動役物５０Ｂに作用させることから、可動役物５０Ｂは、先端部５０ｂを上方にあげて右縁５０ｄ側を下げるような第２の揺動端ＲＥ側に、揺動する。その時、ばね６７Ｂは、右縁６７ｄ側を圧縮させることから、第２の揺動端ＲＥ側に揺動した可動役物５０Ｂは、右縁６７ｄ側を圧縮させていた状態から復元するようなばね６７Ｂの付勢力を受けて、再度、第１の揺動端ＲＦ側に揺動しようとする。
【００７０】
そして、盤側磁性体６５Ｂを役物側磁性体６３Ｂへの接近位置ＣＰから離脱させた当初は、可動役物５０の左右へ揺動する振幅が大きいものの、その後は、ばね６７の付勢力による相互に逆の方向ＡＤ，ＲＤに働く復元力ＭＲ（図１０のＢの二点鎖線と実線参照）が作用し、可動役物５０Ｂを、減衰させるような揺動運動として、安定かつ的確に、第１の揺動端ＲＦと第２の揺動端ＲＥとの中間付近の中立点ＮＰで停止させることができ、実施形態と同様な作用・効果を得ることができる。
【００７１】
なお、図１０の可動役物装置２０Ｂでは、役物側磁性体６３Ｂと盤側磁性体６５Ｂとを、相互に反発し合う磁石によって構成してもよい。
【００７２】
また、実施形態等では、遊技機として、パチンコ遊技機１，１Ａ，１Ｂを例示したが、本発明の遊技機は、パチンコ遊技機に限定されるものでなく、その他のアレンジボール遊技機、ジャン球遊技機等に適用可能である。
【符号の説明】
【００７３】
１，１Ａ，１Ｂ…パチンコ遊技機、
２…遊技盤、
２０，２０Ａ，２０Ｂ…可動役物装置、
２７，２７Ｂ…駆動機構、
２８…駆動源、
２９，２９Ｂ…ソレノイド、
３１，３１Ｂ…（可動部）プランジャ、
３６，３６Ｂ…可動片、
５０，５０Ｂ…可動役物、
５０ａ…元部、
５０ｂ…先端部、
６１，６１Ｂ…偽装役物、
６３，６３Ｂ…役物側磁性体、
６５，６５Ｂ…盤側磁性体、
６７，６７Ｂ…ばね、
ＣＰ…接近位置、
ＳＰ…離隔位置、
ＭＦ…始動駆動力、
ＭＲ…復元力、
ＮＰ…中立点。
【図１】
2011030670.tif 000003
【図２】
2011030670.tif 000004
【図３】
2011030670.tif 000005
【図４】
2011030670.tif 000006
【図５】
2011030670.tif 000007
【図６】
2011030670.tif 000008
【図７】
2011030670.tif 000009
【図８】
2011030670.tif 000010
【図９】
2011030670.tif 000011
【図１０】
2011030670.tif 000012